(57)【要約】【課題】本体内に複数個の加熱コイルを備える製品の種類毎に違う加熱コイルを準備することなく、共通の部品を使用できるように構成する。【解決手段】本体内に備えた加熱コイル１５はコイル保持台１６と、加熱コイルの外周部に設けられた導光体２２と、導光体を収納する導光体保持台２３とを備え、コイル保持台と導光体保持台とは別体で、回転方向に違う位置で組み立てることができる誘導加熱調理器となる。【選択図】図６
2011014344.tif 000002
【特許請求の範囲】
【請求項１】
外郭を構成する本体と、前記本体の上面に設けて被加熱物を載置するトッププレートと、前記トッププレートの下方に設けて前記被加熱物を誘導加熱する渦巻き状の加熱コイルと、前記加熱コイルを保持するコイル保持台と、前記加熱コイルの渦巻き状から引き出される端末部と、前記端末部に固定した外部との接続用の端子と、前記端子を保持する端子保持台と、前記加熱コイルの渦巻状の外周部に設けられた導光体と、前記導光体を収納する導光体保持台と、前記導光体の入光部に光を照射する光源と、前記光源を収納する光源収納部とを備え、前記コイル保持台と前記端子保持台とは一体に形成して、前記導光体保持台と前記光源収納部とは一体に形成すると共に、前記導光体保持台の外周の外側に前記光源収納部を形成して、前記コイル保持台に前記導光体保持台を載せて前記加熱コイルの渦巻状の外周部に前記導光体保持台を備え、前記導光体保持台の外周の外側に前記端子保持台を備えた構成の誘導加熱調理器。
【請求項２】
コイル保持台は加熱コイルの外周の外側に円周状の溝部を設けて、前記溝部に導光体保持台を収納すると共に、前記溝部の外側に端子保持台を備えた構成の請求項１に記載の誘導加熱調理器。
【請求項３】
コイル保持台に導光体保持台が載置する位置を同中心で回転させて複数個の取付け位置を設けた構成の請求項１または２に記載の誘導加熱調理器。
【請求項４】
前記光源から照射される光を遮光する遮光カバーを導光体保持台に取り付けられた請求項１または３に記載の誘導加熱調理器。
【発明の詳細な説明】
【技術分野】
【０００１】
本発明は、家庭で用いられる加熱調理器に関し、特に、鍋等の被加熱物を載せるトッププレートの上面に光による視覚的表示を行う発光装置を有する誘導加熱調理器に関するものである。
【背景技術】
【０００２】
従来、この種の誘導加熱調理器は、本体を構成するフレームおよび外郭ケースと、被加熱調理容器を載置する天板と、被加熱調理容器を加熱する加熱コイルと、加熱コイルを載置するコイルベースとを備え、加熱コイルの内側の端末部はコイルベースを上から下方に貫通させて、コイルベースの下側を引き回して、加熱コイルの渦巻きに触れずに加熱コイルの外周の外側に引き出していた。
【０００３】
これにより、加熱コイルの内側の端末部は、加熱コイルの渦巻きの外周部との電位差があるが、接触しない構成にしていた（例えば、特許文献１参照）。
【０００４】
また、従来、この種の誘導加熱調理器は、被加熱物を誘導加熱するための加熱コイルと、前記加熱コイルを保持するコイル保持台と、前記加熱コイルの外周部に設けられた導光体と、前記導光体の入光部に光を照射する光源と、前記光源を収納する光源収納部とを備え、前記コイル保持台と前記光源収納部とを一体に形成すると共に、前記コイル保持台が前記光源からの光の望ましくない散逸を遮断する遮光部を有する構成にしていた（例えば、特許文献２参照）。
【先行技術文献】
【特許文献】
【０００５】
【特許文献１】特開２００２−７５６１１号公報
【特許文献２】国際公開第２００４／０２３８４６号
【発明の概要】
【発明が解決しようとする課題】
【０００６】
しかしながら、前記従来の構成では、加熱コイルの端末部の配線処理をするときに加熱コイルの内側の端末部がコイルに接触させないために、端末部をコイルベースの下側を通していたが、その際に端末部がコイルベースの下面でたわむと、加熱コイルの端末部と製品の他の部品と接触する恐れがあったので、端末部をコイルベースの下面に係り留めを設けており、その作業をする際にコイルベースを反転する必要があった。
そのため、加熱コイルユニットの組立に時間がかかるという課題を有していた。
【０００７】
また、導光体を加熱コイルの外側に備えた構成の加熱コイルユニットでは、加熱コイルの外側の端末部も導光体の下側を引き回して、導光体の外側に通す必要があり、コイルベースを反転する必要があった。
【０００８】
更に、誘導加熱調理器としては、本体内に加熱コイルを２個横に並べて備えたものや、３個備えたものもあり、キッチンユニットの定まったモジュール内に収めるためには本体の外郭の大きさが決まっており、その中に加熱コイルを備えるためには、コイルの外側に導光体を備えた加熱コイルは大きくなり、端子保持台と光源収納部の位置が製品の外郭や、隣の加熱コイルに接触したりするので、製品毎に端子保持台と光源収納部の位置を変えた、何種類もの加熱コイルを作成しなければならないという課題も有していた。
【０００９】
本発明は、前記従来の課題を解決するもので、加熱コイルの配線処理を行う際にコイルベースを反転して作業することを無くして、ユニット部品の積上げ方式で組み立てる簡素化した構成の加熱コイルユニットを備え、且つ、本体内に複数個の加熱コイルを備える製品の種類毎に違う加熱コイルを準備することなく、共通の部品を使用できるように構成した誘導加熱調理器を提供することを目的とする。
【課題を解決するための手段】
【００１０】
前記従来の課題を解決するために、本発明の誘導加熱調理器は、外郭を構成する本体と、前記本体の上面に設けて被加熱物を載置するトッププレートと、前記トッププレートの下方に設けて前記被加熱物を誘導加熱する渦巻き状の加熱コイルと、前記加熱コイルを保持するコイル保持台と、前記加熱コイルの渦巻き状から引き出される端末部と、前記端末部に固定した外部との接続用の端子と、前記端子を保持する端子保持台と、前記加熱コイルの渦巻状の外周部に設けられた導光体と、前記導光体を収納する導光体保持台と、前記導光体の入光部に光を照射する光源と、前記光源を収納する光源収納部とを備え、前記コイル保持台と前記端子保持台とは一体に形成して、前記導光体保持台と前記光源収納部とは一体に形成すると共に、前記導光体保持台の外周の外側に前記光源収納部を形成して、前記コイル保持台に前記導光体保持台を載せて前記加熱コイルの渦巻状の外周部に前記導光体保持台を備え、前記導光体保持台の外周の外側に前記端子保持台を備えた構成としたものである。
【００１１】
これにより、コイルベースに加熱コイルをセットして、端末部の端子を端子保持台に取付けてから、導光板および導光板保持台を上から積み重ねるので、コイルベースを反転させて端末部の配線処理をしなくても組み立てることができる。
【発明の効果】
【００１２】
本発明の誘導加熱調理器は、端末部の配線処理が簡素化されて組立も簡素化され、本体内に複数個の加熱コイルを備える製品の種類毎に違う加熱コイルを準備することなく、共通の部品を使用できる加熱コイルユニットを備えた誘導加熱調理器を提供することができる。
【図面の簡単な説明】
【００１３】
【図１】本発明の実施の形態１における誘導加熱調理器の斜視図
【図２】本発明の実施の形態１における誘導加熱調理器の加熱コイルＡの平面図
【図３】本発明の実施の形態１における誘導加熱調理器の加熱コイルＢの平面図
【図４】本発明の実施の形態１における誘導加熱調理器のコイルユニットの平面図
【図５】本発明の実施の形態１における誘導加熱調理器の導光板ユニットの平面図
【図６】本発明の実施の形態１における誘導加熱調理器の加熱コイルの説明の分解斜視図
【図７】本発明の実施の形態１における誘導加熱調理器のコイルユニットの説明の分解斜視図
【図８】本発明の実施の形態１における天板を外した誘導加熱調理器の平面図
【図９】本発明の実施の形態２における誘導加熱調理器の加熱コイルの斜視図
【図１０】本発明の実施の形態２における誘導加熱調理器の加熱コイルの説明の分解斜視図
【図１１】本発明の実施の形態２における誘導加熱調理器の導光板ユニットの平面図
【発明を実施するための形態】
【００１４】
第１の発明は、外郭を構成する本体と、前記本体の上面に設けて被加熱物を載置するトッププレートと、前記トッププレートの下方に設けて前記被加熱物を誘導加熱する渦巻き状の加熱コイルと、前記加熱コイルを保持するコイル保持台と、前記加熱コイルの渦巻き
状から引き出される端末部と、前記端末部に固定した外部との接続用の端子と、前記端子を保持する端子保持台と、前記加熱コイルの渦巻状の外周部に設けられた導光体と、前記導光体を収納する導光体保持台と、前記導光体の入光部に光を照射する光源と、前記光源を収納する光源収納部とを備え、前記コイル保持台と前記端子保持台とは一体に形成して、前記導光体保持台と前記光源収納部とは一体に形成すると共に、前記導光体保持台の外周の外側に前記光源収納部を形成して、前記コイル保持台に前記導光体保持台を載せて前記加熱コイルの渦巻状の外周部に前記導光体保持台を備え、前記導光体保持台の外周の外側に前記端子保持台を備えた構成にすることにより、コイルベースに加熱コイルをセットして、端末部の端子を端子保持台に取付けてから、導光体および導光体保持台を上から積み重ねるので、コイルベースを反転させて端末部の配線処理をしなくても組み立てることができる。
【００１５】
第２の発明は、特に、第１の発明のコイル保持台は加熱コイルの外周の外側に円周状の溝部を設けて、前記溝部に導光体保持台を収納すると共に、前記溝部の外側に端子保持台を備えた構成にすることにより、コイル保持台に導光体保持台を載せるときに位置ずれを起こす恐れも防止でき、積み重ねて組み立てる際に位置決めの作業も省略できて、組立を簡素化することができる。
【００１６】
第３の発明は、特に、第１または第２の発明のコイル保持台に導光体保持台が載置する位置を同中心で回転させて複数個の取付け位置を設けた構成にすることにより、略円輪状の導光板保持台の外側に突出した部分の端子保持台と複数の光源収納部との位置関係を変えることができて、本体内に複数の加熱コイルを取付ける際に各加熱コイル毎の各々の端子保持台と複数の光源収納部がお互いに接触したり、製品の外郭部品に接触するのを防止することができる。
【００１７】
第４の発明は、特に、第１または第３の発明の前記光源から照射される光を遮光する遮光カバーを導光体保持台に取り付けられた構成にすることにより、導光体の光源からの光を遮光して照射の性能を確保するための遮光カバーを導光体保持体に導光体や光源を取付ける際に同時に遮光カバーも取付けると、コイルベースに組み立てた後に遮光カバーと取付けるよりも軽い部品の状態で取付けるので、作業が簡単にすることができる。
【００１８】
以下、本発明の実施の形態について、図面を参照しながら説明する。なお、この実施の形態によって本発明が限定されるものではない。
【００１９】
（実施の形態１）
図１は本発明の第１の実施の形態における誘導加熱調理器の斜視図、図２は本発明の第１の実施の形態における誘導加熱調理器の加熱コイルＡの平面図、図３は本発明の第１の実施の形態における誘導加熱調理器の加熱コイルＢの平面図、図４は本発明の第１の実施の形態における誘導加熱調理器のコイルユニットの平面図、図５は本発明の第１の実施の形態における誘導加熱調理器の導光板ユニットの平面図、図６は本発明の第１の実施の形態における誘導加熱調理器の加熱コイルの説明の分解斜視図、図７は本発明の第１の実施の形態における誘導加熱調理器のコイルユニットの説明の分解斜視図、図８は本発明の第１の実施の形態における天板を外した誘導加熱調理器の平面図である。
【００２０】
図１において、誘導加熱調理器の本体の上面には被加熱物を載置するトッププレート１１を貼り付けた天板１２が取り付けられており、側面は本体の外郭の側板１３で構成している。本体から天板１２を外すと、トッププレート１１の下方には加熱コイルＡ１４と加熱コイルＢ１５を有している。
【００２１】
図２および図３において、コイルベース１６、コイル１７、コイル１７の内側の端末部
Ａ１８、コイル１７の外側の端末部Ｂ１９、端末部Ａ１８および端末部Ｂ１９に取りつけた外部接続用の端子２０、コイルベース１６に設けた端子保持部２１、導光板２２、導光板保持部２３、導光板２２の入光部２４、光源２５、導光板保持部に設けた光源保持部２６を構成している。
【００２２】
図４において、コイルベース１６にはコイル１７の外周の外側に溝部２７が設けてあり、その外側に端子保持部２１を備えている。また、コイルベースに設けたボス２８を有している。
【００２３】
図５において、導光板保持部２３には孔２９が設けてある。
【００２４】
図６は、加熱コイルの説明の分解斜視図を示し、端子２０（図２、図３）を保持する端子保持部（端子保持台）２１、前記加熱コイルの渦巻状の外周部に設けられた導光板（導光体）２２、前記導光板（導光体）２２を収納する導光板保持部（導光体保持台）２３、前記導光板（導光体）２２の入光部に光を照射する光源２５、前記光源２５を収納する光源保持部（光源収納部）２６を備えている。
【００２５】
また、コイル保持台と前記端子保持部（端子保持台）２１とは一体に形成して、前記導光板保持部（導光体保持台）２３と前記光源保持部（光源収納部）２６とは一体に形成すると共に、前記導光板保持部（導光体保持台）２３の外周の外側に前記光源保持部（光源収納部）２６を形成して、前記コイル保持台に前記導光板保持部（導光体保持台）を載せて、前記加熱コイルの渦巻状の外周部に前記導光板保持部（導光体保持台）を備え、前記導光板保持部（導光体保持台）２３の外周の外側に前記端子保持部（端子保持台）２１を備えた構成にしている。
【００２６】
図７において、コイルベース１６には放射状の収納部３０が備えてあり、複数のフェライトコア３１を収めて、その上に絶縁板３２を設けている。また、コイルベース１６に設けた引掛け部３３を有している。
【００２７】
図８は、天板を外した誘導加熱調理器の平面図を示す。端子保持部（端子保持台）２１、光源保持部（光源収納部）２６の位置は、加熱コイルＡ１４と加熱コイルＢ１５とでは、異なる位置に配置されているが、共通の部品で構成されている。
【００２８】
以上のように構成された誘導加熱調理器について、以下その動作、作用を説明する。
【００２９】
まず、加熱コイルを図４に示すコイルユニットと、図５に示す導光板ユニットに分解することができ、コイルユニットについて、図７を用いて説明する。
【００３０】
先ず、コイルベース１６に磁界漏れ対策でフェライトコア３１を配置して、絶縁のために上に絶縁板３２を載せて、その上にコイル１７を載せている。
【００３１】
ここでコイル１７を載せる際に、先ずコイル１７の内側の端末部Ａ１８をコイルベース１６の引掛け部３３の下に引き回してから、コイル１７を絶縁板１６の上に載せて接着する。そして、端子２０を端子保持部２１に保持させている。
【００３２】
この組立はすべて部品を反転して組み立てることをせずに、すべて下から部品を積み重ねる方式で組み立てることができる。
【００３３】
次に、導光板ユニット（図５）の組立を説明すると、導光板保持部２３に導光板２２を上から載せて、次に複数の光源２５を導光板保持部２３に設けた光源保持部２６に上から
載せて完成させている。
【００３４】
ここで、導光板ユニットはコイルユニットと別のところで組み立ててから、コイルユニットに載せても組立ができるし、コイルユニットの上に導光板保持部２３を載せて、次に導光板２２と光源２５を載せても組み立てることができる。
【００３５】
コイルベース１６に導光板保持部２３を固定させるのは、コイルベース１６のボス２８上に導光板保持部２３の孔２９を合わせて、ネジで固定する。
【００３６】
ここで、コイルベース１６には複数のボス２８を設けることで、導光板保持部２３が収まる位置を１箇所に限定させずに複数箇所を備えており、その取り付け位置を変えて組み立てることで、加熱コイルＡ１４と加熱コイルＢ１５の違う形態を同じ部品を用いて作っている。
【００３７】
これは、コイルベース１６の外側に張り出した端子保持部２１の位置に対して、導光板保持部２３の外に張り出した光源保持部２６の位置関係を変えた加熱コイルを作るためである。
【００３８】
また、従来のコイルベースは、導光板が収まるような形状であったが、本発明の構成ではコイルベースに導光板を収めるような形状がないので、コイルベースが小さくなり、コイルベースの強度が低くなるが、溝部２７を必要に応じて設けることで、コイルベースの強度を上げられるのと導光板保持部の載置時の組立性を良くすることができる。
【００３９】
溝部２７は、図ではコイル１７の外周のすべてに設けているが、全周に設けずに一部に設けても導光板保持部の位置決めを容易にすることができる。
【００４０】
誘導加熱調理器には本体内に複数の加熱コイルを備えるものも多く、図１のような２口のバーナーを有する製品も多く普及している。
【００４１】
この本体内には２つの加熱コイルを有しているが、本体内には高温になる魚焼きのロースターを備えたり、本体内に冷却用のファンを備えたりしているので、本体内の温度は場所によって大きく異なる。コイルの端末と端子を接続している箇所を収めている端子保持部や光源などは高温部には配置できないなどの制約がある。
【００４２】
また、使い勝手から２つの加熱コイルのピッチは離したほうが便利で、できるだけ外側に配置すると、加熱コイルと本体の側板との距離が短くなり、もっとも近いところには、導光板から張り出す端子保持部や光源保持部を配置できない。
【００４３】
故に、本体内の左側に配置する加熱コイルＡ１４と右側に配置する加熱コイルＢ１５は違う形態にする必要があったが、本実施例の構成にすることで、複数の部品を作成しなくても対応することができる。
【００４４】
（実施の形態２）
図９は、本発明の第２の実施の形態における誘導加熱調理器の加熱コイルの斜視図、図１０は、本発明の第２の実施の形態における誘導加熱調理器の加熱コイルの説明の分解斜視図、図１１は本発明の第２の実施の形態における誘導加熱調理器の導光板ユニットの平面図である。尚、実施の形態１と基本構成は同じなので説明は省略し、異なる点を中心に説明する。また、実施の形態１と同じ構成部品には同じ符号を付している。
【００４５】
図９、図１０において、４０は導光板２２の入光部２４および光源２５の上部に設けた
遮光カバーであり、４１は遮光カバー４０の係り止め部、４２は導光板保持部２３に設けた突出部である。図１１は導光板ユニットを示し、導光板２２、導光板保持部２３、遮光カバー４０を備えている。
【００４６】
これにより、光源２５からの発光が上方に漏れるのを抑える目的の遮光カバー４０を導光板保持部２３に設けることで、遮光カバー４０は、導光板ユニットを形成する際に、光源２５の固定の役目も果たし、遮光カバー４０の係り止め部４１が突出部４２と勘合することで固定されるので、上から載せて組み立てることもでき、組立を簡易にすることができる。
【産業上の利用可能性】
【００４７】
以上のように、本発明にかかる誘導加熱調理器は、複数の加熱コイルを内部に配置する際に複数の加熱コイルの部品を作成しなくて共通の部品を使用できる構成にすることができる。また加熱コイルを組み立てる際に、部品を反転して作業することなく、ユニット部品の積上げ方式で簡素化した組立方式で作成することができるので、加熱コイルを有した誘導加熱調理器に有効である。
【符号の説明】
【００４８】
１１  トッププレート
１４  加熱コイルＡ（加熱コイル）
１５  加熱コイルＢ（加熱コイル）
１６  コイルベース（コイル保持台）
１８  端末部Ａ（端末部）
１９  端末部Ｂ（端末部）
２０  端子
２１  端子保持部（端子保持台）
２２  導光板（導光体）
２３  導光板保持部（導光体保持台）
２４  入光部
２５  光源
２６  光源保持部（光源収納部）
【図１】
2011014344.tif 000003
【図２】
2011014344.tif 000004
【図３】
2011014344.tif 000005
【図４】
2011014344.tif 000006
【図５】
2011014344.tif 000007
【図６】
2011014344.tif 000008
【図７】
2011014344.tif 000009
【図８】
2011014344.tif 000010
【図９】
2011014344.tif 000011
【図１０】
2011014344.tif 000012
【図１１】
2011014344.tif 000013